(57)【要約】【課題】本発明は、ユーザがキー操作を無効に設定することを忘れてしまった場合であっても、無操作状態が継続してスリープ状態に移行したときに、ユーザの意図しないキー操作によりスリープ状態が解除されて、無駄な電力が消費されるのを防止することができる携帯端末を提供する。【解決手段】データを表示する表示手段と、データを入力する入力手段と、最後に入力されてから第１の時間の経過を通知する第１の通知手段と、最後に入力されてから第２の時間の経過を通知する第２の通知手段と、第１の時間の経過が通知されたときに、表示を無効にする表示制御手段と、第２の時間の経過が通知されたときに、入力を無効にする入力制御手段と、を備えた。【選択図】  図４
2009272996.tif 000002
【特許請求の範囲】
【請求項１】
データを表示する表示手段と、
データを入力する入力手段と、
前記入力手段により最後に入力されてから第１の時間の経過を通知する第１の通知手段と、
前記入力手段により最後に入力されてから第２の時間の経過を通知する第２の通知手段と、
前記第１の通知手段により第１の時間の経過が通知されたときに、前記表示手段による表示を無効にする表示制御手段と、
前記第２の通知手段により第２の時間の経過が通知されたときに、前記入力手段による入力を無効にする入力制御手段と、
を備えたことを特徴とする携帯端末。
【請求項２】
前記第１の通知手段により第１の時間の経過が通知されたときに、携帯端末を、必要最低限の機能のみが起動されている状態であるスリープ状態に移行させる待機手段を備えたことを特徴とする請求項１記載の携帯端末。
【請求項３】
前記第１の時間が前記第２の時間よりも短く、前記表示制御手段は、前記表示手段による表示を無効にした後に、前記入力手段により入力された場合、前記表示手段を再び有効にすることを特徴とする請求項１記載の携帯端末。
【請求項４】
前記入力制御手段は、前記入力手段による入力を無効にした後に、所定の操作が行われたときにのみ、入力を有効にすることを特徴とする請求項１記載の携帯端末。
【請求項５】
前記第１の時間及び第２の時間の入力を受け付ける入力受付手段を備え、
前記第１の通知手段は、前記入力受付手段により受け付けられた第１の時間の経過を通知し、前記第２の通知手段は、前記入力受付手段により受け付けられた第２の時間の経過を通知することを特徴とする請求項１記載の携帯端末。
【請求項６】
データを表示する表示手段と、
データを入力する入力手段と、
前記入力手段により最後に入力されてから第１の時間が経過すると、前記表示手段による表示を無効にする表示制御手段と、
前記入力手段により最後に入力されてから第２の時間が経過すると、前記入力手段による入力を無効にする入力制御手段と、
を備えたことを特徴とする携帯端末。
【発明の詳細な説明】
【技術分野】
【０００１】
本発明は、無操作状態が継続してスリープ状態に移行した時に、ユーザの意図しないキー操作によりスリープ状態が解除されて、無駄な電力が消費されるのを防止することができる携帯端末に関する。
【背景技術】
【０００２】
小型で持ち運びが可能な携帯端末は、ユーザにより常に身につけて持ち運ばれ、ユーザがこの携帯端末から離れる場合にはユーザが携帯端末に操作ロックを施すことが通常であるが、状況によっては、その操作ロックが施されることなく放置されることも考えられる。その場合、その装置がユーザ以外の第三者によって使用されると、携帯端末内に記憶された個人情報が漏洩する恐れがあるという問題があった。
【０００３】
そこで、処理動作が行われている際、その処理動作の性質に依存して放置されている可能性があると判断した場合に操作ロックを施す情報処理装置が提案されている（特許文献１参照）。この情報処理装置は、筐体が閉状態で所定時間が経過した場合か、ユーザの操作待ちが所定時間経過した場合であって、装置で動作中の処理がユーザの操作なしで起動されてユーザの操作を待っている処理や優先度が低い処理のみである場合、操作ロックを施すものである。
【特許文献１】特開２００６−２２２５６７号公報
【発明の開示】
【発明が解決しようとする課題】
【０００４】
携帯端末に操作ロックを施した場合であっても、携帯端末をバッグやポケットに入れているときに、操作キーが何かとぶつかって勝手に押されてしまうと、携帯端末はキー操作を誤検出してしまい、ユーザが使用していないにもかかわらず表示系等が点灯したりしていた。また、携帯端末は、使用されていない間、消費電流を最小限に抑えるために、スリープ状態（動作させる必要のない機能の電源をＯＦＦにした状態）に設定されているが、スリープ状態にあってもキー操作を誤検出してしまうと、制御回路が起動してディスプレイなどの表示系を点灯させて、余計な電力を消費してしまうという問題があった。
【０００５】
本発明は、上記課題を鑑みなされてものであり、ユーザがキー操作を無効に設定することを忘れてしまった場合であっても、無操作状態が継続してスリープ状態に移行したときに、ユーザの意図しないキー操作によりスリープ状態が解除されて、無駄な電力が消費されるのを防止することができる携帯端末を提供することを目的とする。
【課題を解決するための手段】
【０００６】
上記課題を解決するために、本発明に係る携帯端末は、データを表示する表示手段と、データを入力する入力手段と、前記入力手段により最後に入力されてから第１の時間の経過を通知する第１の通知手段と、前記入力手段により最後に入力されてから第２の時間の経過を通知する第２の通知手段と、前記第１の通知手段により第１の時間の経過が通知されたときに、前記表示手段による表示を無効にする表示制御手段と、前記第２の通知手段により第２の時間の経過が通知されたときに、前記入力手段による入力を無効にする入力制御手段と、を備えたことを特徴とする。
【発明の効果】
【０００７】
本発明に係る携帯端末によると、ユーザがキー操作を無効に設定することを忘れてしまった場合であっても、無操作状態が継続してスリープ状態に移行したときに、ユーザの意図しないキー操作によりスリープ状態が解除されて、無駄な電力が消費されるのを防止することが可能となる。
【発明を実施するための最良の形態】
【０００８】
〔第１実施形態〕
本発明に係る携帯端末の実施形態について、添付図面を参照しながら説明する。本発明に係る携帯端末として、単一の筐体から形成されているストレート型の携帯電話機１を例にあげて説明する。なお、携帯電話機１の形状はストレート型に限らず、複数の筐体が開閉自在に結合されてなるクラムシェル型、複数の筐体が二軸回転自在に結合されたスイーベル型、複数の筐体がスライド自在に結合されたスライド型等、任意の形状であって良い。
【０００９】
図１は、携帯電話機１を示す斜視図である。携帯電話機１は、図１に示すように、矩形の板状の筐体１０を備えている。筐体１０の一方の面には、文字や画像等の情報を表示するためのディスプレイ１３、音声を出力するためのスピーカ１４が設けられている。また、筐体１０の一方の面には、カーソルを上下左右に移動させるための十字キーや、数字を入力するための数字キー、通話を開始するための通話キー、通話を終了させるための終話キー、メールを送信するためのメール送信キー等の操作キー１５、電源のＯＮ／ＯＦＦ状態を切り替えるための電源キー１５ａが設けられている。さらに、筐体１０の一方の面には、音声を集音するためのマイクロフォン１６が設けられている。これらのディスプレイ１３、スピーカ１４、操作キー１５、及びマイクロフォン１６は、常に携帯電話機１の外部に露出するように設けられている。
【００１０】
また、筐体１０の側面にはスライドキー１７が設けられている。このスライドキー１７は、通常ではバネの弾性力等により定位置に固定されているが、ユーザにより応力を加えられている間にのみスライドすることができる。スライドキー１７は、携帯電話機１におけるディスプレイ１３への表示やキー操作１５を介した入力をロックしたり、これらのロックを解除したりするためのキーである。また、スライドキー１７は、常に携帯電話機１の外部に露出するように設けられているが、所定値以上の応力でスライドさせない限りスライドしないように設計されているため、ユーザにより意図的にスライドさせた場合にのみスライドし、例えば携帯電話機１が鞄の中やポケットの中に収納されているときに、何かにぶつかって勝手にスライドしてしまうことはない。
【００１１】
次に、携帯電話機１の機能について、図２に示す機能ブロック図を用いて説明する。携帯電話機１は、図２に示すように、主制御部２０、電源回路部２１、操作入力制御部２２、表示制御部２３、音声制御部２４、通信制御部２５、記憶部２６、タイマ部２７、及びロック検出部２８がバスによって相互に通信可能に接続されて構成されている。
【００１２】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する無操作ロック処理、その他の様々な演算処理や制御処理等を行う。電源回路部２１は、電源キー１５ａに対する入力インタフェースを備え、ユーザにより電源キー１５ａが押されたことを検知すると、その旨を示す信号を生成して主制御部２０に伝送する。また、電源回路部２１は、電源供給源（バッテリ等）を備え、電源キー１５ａを介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１３】
操作入力制御部２２は操作キー１５に対する入力インタフェースを備え、操作キー１５のいずれかが押されたことを検知すると、押された操作キー１５を示す信号を生成して主制御部２０に伝送する。また操作入力制御部２２は、主制御部２０の制御に基づいて、操作キー１５を介した入力を無効にしたり有効にしたりする。さらに操作入力制御部２２は、操作キー１５の入力を無効にするとき、操作キー１５を電気的に切り離すことにより、操作キー１５が押されたことを検知しない。これにより、操作キー１５の入力が無効になっているときに携帯電話機１の電力の消費を軽減することができる。
【００１４】
表示制御部２３はディスプレイ１３に対する表示インタフェースを備え、主制御部２０の制御に基づいて、文書データや画像データ等をディスプレイ１３に表示する。また表示制御部２３は、主制御部２０の制御に基づいて、ディスプレイ１３への表示を無効にしたり有効にしたりする。
【００１５】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００１６】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００１７】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する無操作ロック設定処理を行う際の処理プログラムは、例えばＲＯＭに記憶されているものとする。
【００１８】
タイマ部２７は、主制御部２０からタイマを開始させるための信号を受信することに基づいて計時を開始し、所定時間の経過に基づいて、タイマの終了を示す信号を生成して主制御部２０に伝送する。また、主制御部２０からタイマをリセットして起動するための信号を受信することに基づいて、タイマ時間を０にリセットして再び起動する。ここでは、タイマ部２７は、無操作の際にディスプレイ１３への表示を無効にするための表示無効タイマや、無操作の際に操作キー１５を介したキー操作を無効にするためのキー操作無効タイマを起動する。
【００１９】
ロック検出部２８は、スライドキー１７に対する入力インタフェースを備え、スライドキー１７のスライドを検知すると、スライドキー１７がスライドされた旨を示す信号を生成し、主制御部２０に伝送する。ロック検出部２８からの信号を受信した主制御部２０は、携帯電話機１における表示やキー操作を無効にするようにロックを設定したり、このロックを解除したりする。
【００２０】
ここで携帯電話機１は、一定時間操作されなかった場合に、スリープ状態に移行する。スリープ状態とは、電力の消費を抑えて待機している状態であり、必要最低限の機能以外の全ての機能の電源をＯＦＦにした状態である。そして、携帯電話機１がスリープ状態にあるときに例えば操作キー１５が押されると、携帯電話機１はスリープ状態から通常状態に復帰し、スリープ状態に移行する直前の状態に戻る。
【００２１】
従来の携帯電話機は、スリープ状態にあるときに、例えば操作キー１５がユーザの意図に反して何かに触れてしまった場合であっても、スリープ状態から通常状態に復帰するようになっている。よって、例えばユーザが携帯電話機を鞄の中やポケットの中に収納しているときに、ユーザが気付かないうちに操作キー１５が押されてしまった場合に、そのたびに携帯電話機１が通常状態に復帰するため、消費電流（電力）が増えてしまっていた。
【００２２】
これを防止するために、携帯電話機１は、操作キー１５の無操作によりスリープ状態に移行するときに、一定時間の経過に伴って操作キー１５を介した入力を無効にする無操作ロック設定機能を備えている。この無操作ロック設定機能では、携帯電話機１において操作キー１５が入力されない無操作状態が一定時間（例えば時間ｔ１）以上継続した場合に、スリープ状態に移行するとともに、ディスプレイ１３の表示を無効にし、また同様に、携帯電話機１において無操作状態が一定時間（例えば時間ｔ２）以上継続した場合に、操作キー１５を介する入力を無効にする。
【００２３】
携帯電話機１は、ユーザに対して、ディスプレイ１３の表示を無効にするまでの無操作状態の継続時間を示す表示無効時間（ｔ１）と、操作キー１５を介する入力を無効にするまでの無操作状態の継続時間を示すキー操作無効時間（ｔ２）との入力を促すための入力画面３０を、ディスプレイ１３に表示する。
【００２４】
入力画面３０は、図３に示すように、表示無効時間を入力するための表示無効時間入力欄３１と、キー操作無効時間を入力するためのキー操作無効時間入力欄３２とを備えている。ユーザは、操作キー１５を用いて各々の入力欄に時間を入力する。この際、数字キーにより直に時間を入力しても、ディスプレイ１３に提示された複数の選択肢の中から選択することにより時間を入力しても良い。例えば図３に示す入力画面３０によると、表示無効時間入力欄３１に「３０秒」が、キー操作無効時間入力欄３２に「３分」が入力されている。
【００２５】
記憶部２６は、設定情報４０において、入力画面３０に基づいて入力された表示無効時間及びキー操作無効時間を、それぞれ表示無効時間情報４１及びキー操作無効時間情報４２として記憶している。例えば図４に示す設定情報４０では、表示時間無効時間情報４１として、表示無効時間入力欄３１に入力された「３０秒」が記憶されていて、キー操作無効時間情報４２として、キー操作無効時間入力欄３２に入力された「３分」が記憶されている。
【００２６】
まず、図４の設定情報４０に示すように、表示無効時間（３０秒）よりキー操作無効時間（３分）の方が大きい場合について説明する。図５に示すように、携帯電話機１において、操作キー１５の押下に基づいて主制御部２０により様々な機能が実行され、ディスプレイ１３等の表示系が点灯される。携帯電話機１において電源キー１５ａが押された場合に電源がＯＮまたはＯＦＦに切り替えられ、電源がＯＮに設定された場合に、主制御部２０により電源設定機能が実行され、ディスプレイ１３等の表示系が点灯される。また、通話キーが押されて通話が開始された後に終話キーが押されて通話が終了した場合、メール送信キーが押されてメール送信が開始された後にメール送信が完了した場合等にも、主制御部２０により通話機能やメール送信機能が実行され、ディスプレイ１３等の表示系が点灯される。
【００２７】
そして、携帯電話機１が操作されない状態、すなわち、いずれの操作キー１５も押されない状態が所定時間（例えば時間ｔ１）継続した場合に、携帯電話機１はスリープ状態に移行する。携帯電話機１がスリープ状態に移行すると、必要最低限の機能以外の機能がＯＦＦに設定され、またディスプレイ１３等の表示系が消灯される。このときには、操作キー１５が押されることによって、通常状態に復帰する。
【００２８】
携帯電話機１が操作されない状態がさらに所定時間（例えば時間ｔ２−ｔ１）継続した場合、携帯電話機１は、キー操作無効スリープ状態に移行する。キー操作無効スリープ状態では、スリープ状態に加えて、操作キー１５の入力が無効になっている。これにより、例えば携帯電話機１が鞄の中やポケットの中に収納されているときに、ユーザの意図に反して操作キー１５が押されてしまった場合であっても、スリープ状態が継続される。
【００２９】
また、携帯電話機がキー操作無効スリープ状態にあるときに、予め設定された特定の操作を行うと、携帯電話機１が通常状態に復帰する。特定の操作とは、予め設定された任意のキーの押下（例えばスライドキー１７のスライド等）や、開閉自在な携帯電話機であった場合には開閉操作等である。
【００３０】
携帯電話機１は、このように、携帯電話機１において無操作状態が継続したときに、スリープ状態に移行するとともに、設定情報４０に基づいてディスプレイ１３への表示や操作キー１５を介する入力を無効にする無操作ロック設定処理を行う。携帯電話機１がこの無操作ロック設定処理を行う際の手順について、図６に示すフローチャートに基づいて説明する。以下、例えば「ステップＳ１０１」を「Ｓ１０１」のように、「ステップ」の語句を省略して説明する。
【００３１】
始めに主制御部２０は、いずれかの操作キー１５が押されたか否かを判断する（Ｓ１０１）。いずれかの操作キー１５が押された場合（Ｓ１０１のＹｅｓ）は、主制御部２０は、操作キー１５が押されたことに基づいて、表示無効タイマ及びキー操作無効タイマを起動する（Ｓ１０３）。すなわち主制御部２０は、表示無効タイマを開始するための信号と、キー操作無効タイマを起動するための信号とをタイマ部２７に送信する。この信号を受信したタイマ部２７は、設定情報４０の表示無効時間情報４１に基づいて表示無効タイマ（例えば３０秒）を開始するとともに、キー操作無効時間情報４２に基づいてキー操作無効タイマ（例えば３分）を開始する。
【００３２】
主制御部２０は、ステップＳ１０３、または後述するＳ１０９、Ｓ１１７にて起動された表示無効タイマが終了したか否かを判断する（Ｓ１０５）。この際、主制御部２０が表示無効タイマが終了した旨を示す信号をタイマ部２７から受信したことに基づいて、表示無効タイマが終了したものと判断する。表示無効タイマが終了していない場合（Ｓ１０５のＮｏ）は、主制御部２０は、いずれかの操作キー１５が押されたか否かを判断する（Ｓ１０７）。いずれの操作キー１５も押されていない場合（Ｓ１０７のＮｏ）には、ステップＳ１０５に戻って、主制御部２０は表示無効タイマが終了したか否かを判断する。
【００３３】
いずれかの操作キー１５が押された場合（Ｓ１０７のＹｅｓ）は、主制御部２０は、表示無効タイマ及びキー操作無効タイマをリセットして起動する（Ｓ１０９）。すなわち主制御部２０は、表示無効タイマをリセットして開始するための信号と、キー操作無効タイマをリセットして開始するための信号とをタイマ部２７に送信する。この信号を受信したタイマ部２７は、設定情報４０の表示無効時間情報４１に基づいて表示無効タイマをリセットして開始するとともに、キー操作無効時間情報４２に基づいてキー操作無効タイマをリセットして開始する。そしてステップＳ１０５に戻って、主制御部２０は、ステップＳ１０９にて起動された表示無効タイマが終了したか否かを判断する。
【００３４】
表示無効タイマが終了した場合（Ｓ１０５のＹｅｓ）は、主制御部２０は、携帯電話機１をスリープ状態に移行させる（Ｓ１１１）。また主制御部２０は、ディスプレイ１３への表示を無効にする（Ｓ１１３）。無操作状態において携帯電話機１をスリープ状態に移行させることにより、携帯電話機１における無駄な電力消費が軽減される。
【００３５】
主制御部２０は、いずれかの操作キー１５が押されたか否かを判断する（Ｓ１１５）。いずれかの操作キー１５が押された場合（Ｓ１１５のＹｅｓ）は、主制御部２０は、ステップＳ１０９と同様に、表示無効タイマ及びキー操作無効タイマをリセットして起動する（Ｓ１１７）。
【００３６】
主制御部２０は、携帯電話機１を通常状態に復帰させる（Ｓ１１９）。また主制御部２０は、ステップＳ１１３にて無効にしたディスプレイ１３への表示を有効にする（Ｓ１２１）。携帯電話機１が通常状態に復帰することにより、ステップＳ１１１にてＯＦＦに設定された必要最小限の機能以外の機能が再び起動されるとともに、ディスプレイ１３が点灯される。そしてステップＳ１０５に戻って、主制御部２０は、ステップＳ１１７にて起動された表示無効タイマが終了したか否かを判断する。
【００３７】
操作キー１５が押されていない場合（Ｓ１１５のＮｏ）は、主制御部２０は、ステップＳ１０３、Ｓ１０９、またはＳ１１７で起動されたキー操作無効タイマが終了したか否かを判断する（Ｓ１２３）。この際、主制御部２０がキー操作無効タイマが終了した旨を示す信号をタイマ部２７から受信したことに基づいて、キー操作無効タイマが終了したものと判断する。キー操作無効タイマが終了していない場合（Ｓ１２３のＮｏ）は、ステップＳ１１５に戻って、主制御部２０は再び操作キー１５が押されたか否かを判断する。
【００３８】
キー操作無効タイマが終了した場合（Ｓ１２３のＹｅｓ）は、主制御部２０は、キー操作を無効にする（Ｓ１２５）。携帯電話機１においてキー操作が無効になると、操作入力制御部２２により操作キー１５が電気的に切断され、操作キー１５が押された場合であっても操作入力制御部２２はこの入力を検出しない。これにより、携帯電話機１が鞄の中やポケットの中に収納されている時に、ユーザの意図に反して操作キー１５が押されてしまった場合に、不必要な機能が起動されたりディスプレイ１３が点灯してしまったりすることが防止される。
【００３９】
ユーザは、キー操作無効スリープ状態にある携帯電話機１を通常状態に復帰させたいときに、スライドキー１７をスライドさせる。よって主制御部２０は、キー操作無効スリープ状態において、スライドキー１７がスライドされたか否かを判断する（Ｓ１２７）。スライドキー１７がスライドされていない場合（Ｓ１２７のＮｏ）は、主制御部２０はスライドキー１７がスライドされるまで待機する。
【００４０】
スライドキー１７がスライドされた場合（Ｓ１２７のＹｅｓ）は、主制御部２０は、ステップＳ１１３にて無効にしたディスプレイ１３への表示と、ステップＳ１２５にて無効にしたキー操作とを有効にして、携帯電話機１をスリープ状態から通常状態へと復帰させる（Ｓ１２９）。すなわち、携帯電話機１が通常状態に復帰することにより、ステップＳ１１１にてＯＦＦに設定された必要最小限の機能以外の機能が再び起動されるとともに、ディスプレイ１３が点灯され、また、操作入力制御部２２は、操作キー１５を再び電気的に接続し、操作キー１５を介した入力を受け付ける。これにより、ユーザは携帯電話機１を用いて通常通りの操作を行うことができるようになる。
【００４１】
このように携帯電話機１は、無操作状態が所定時間以上継続すると、ディスプレイ１３への表示が無効になるとともに、スリープ状態に移行し、その後さらに無操作状態が所定時間以上継続すると、スリープ状態が維持されたままキー操作が無効になる。ディスプレイ１３への表示のみが無効になっている状態では、操作キー１５を介した入力により、ディスプレイ１３への表示が再び有効になり、携帯電話機１が通常状態に復帰する。キー操作が無効になっている状態では、スライドキー１７のスライドにより、キー操作が再び有効になるとともにディスプレイ１３への表示も有効になり、携帯電話機１が通常状態に復帰する。
【００４２】
次に、図７の設定情報４０に示すように、表示無効時間（２分）がキー操作無効時間（１分）より大きい場合について説明する。例えば、図７に示す設定情報４０において、表示時間無効時間情報４１として、表示無効時間入力欄３１に入力された「２分」が記憶されていて、キー操作無効時間情報４２として、キー操作無効時間入力欄３２に入力された「１分」が記憶されている。
【００４３】
図８に示すように、携帯電話機１において電源キー１５ａが押された場合に電源がＯＮまたはＯＦＦに切り替えられ、電源がＯＮに設定された場合に、主制御部２０により電源設定機能が実行され、ディスプレイ１３等の表示系が点灯される。また、通話キーが押されて通話が開始された後に終話キーが押されて通話が終了した場合、メール送信キーが押されてメール送信が開始された後にメール送信が完了した場合等にも、主制御部２０により通話機能やメール送信機能が実行され、ディスプレイ１３等の表示系が点灯される。
【００４４】
そして、携帯電話機１が操作されない状態、すなわち、いずれの操作キー１５も押されない状態が所定時間継続した場合に、携帯電話機１は、キー操作無効状態に移行する。キー操作無効状態では、携帯電話機１は操作キー１５の入力が無効になっている。これにより、例えば携帯電話機１が鞄の中やポケットの中に収納されているときに、ユーザの意図に反して操作キー１５が押されてしまった場合であっても、そのままの状態が継続される。
【００４５】
携帯電話機１が操作されない状態がさらに所定時間継続した場合、携帯電話機１はキー操作無効スリープ状態に移行する。携帯電話機１がキー操作無効スリープ状態に移行すると、キー操作の無効に加えて、必要最低限の機能以外の機能がＯＦＦに設定され、またディスプレイ１３等の表示系が消灯される。このときに、キー操作が無効になっているので、操作キー１５が押されても通常状態に復帰することはない。
【００４６】
また、携帯電話機がキー操作無効スリープ状態にあるときに、予め設定された特定の操作を行うと、携帯電話機１が通常状態に復帰する。特定の操作とは、予め設定された任意のキーの押下（例えばスライドキー１７のスライド等）や、開閉自在な携帯電話機であった場合には開閉操作等である。
【００４７】
携帯電話機１は、このように、携帯電話機１において無操作状態が継続したときに、スリープ状態に移行するとともに、設定情報４０に基づいてディスプレイ１３への表示や操作キー１５を介する入力を無効にする無操作ロック設定処理を行う。携帯電話機１がこの無操作ロック設定処理を行う際の手順について、図９に示すフローチャートに基づいて説明する。
【００４８】
始めに主制御部２０は、いずれかの操作キー１５が押されたか否かを判断する（Ｓ２０１）。いずれかの操作キー１５が押された場合（Ｓ２０１のＹｅｓ）は、主制御部２０は、操作キー１５が押されたことに基づいて、表示無効タイマ及びキー操作無効タイマを起動する（Ｓ２０３）。すなわち主制御部２０は、表示無効タイマを開始するための信号と、キー操作無効タイマを起動するための信号とをタイマ部２７に送信する。この信号を受信したタイマ部２７は、設定情報４０の表示無効時間情報４１に基づいて表示無効タイマ（例えば２分）を開始するとともに、キー操作無効時間情報４２に基づいてキー操作無効タイマ（例えば１分）を開始する。
【００４９】
主制御部２０は、ステップＳ２０３、または後述するＳ２０９、Ｓ２１５にて起動されたキー操作無効タイマが終了したか否かを判断する（Ｓ２０５）。この際、主制御部２０がキー操作無効タイマが終了した旨を示す信号をタイマ部２７から受信したことに基づいて、キー操作無効タイマが終了したものと判断する。キー操作無効タイマが終了していない場合（Ｓ２０５のＮｏ）は、主制御部２０は、いずれかの操作キー１５が押されたか否かを判断する（Ｓ２０７）。いずれの操作キー１５も押されていない場合（Ｓ２０７のＮｏ）には、ステップＳ２０５に戻って、主制御部２０はキー操作無効タイマが終了したか否かを判断する。
【００５０】
いずれかの操作キー１５が押された場合（Ｓ２０７のＹｅｓ）は、主制御部２０は、表示無効タイマ及びキー操作無効タイマをリセットして起動する（Ｓ２０９）。すなわち主制御部２０は、表示無効タイマをリセットして開始するための信号と、キー操作無効タイマをリセットして開始するための信号とをタイマ部２７に送信する。この信号を受信したタイマ部２７は、設定情報４０の表示無効時間情報４１に基づいて表示無効タイマをリセットして開始するとともに、キー操作無効時間情報４２に基づいてキー操作無効タイマをリセットして開始する。そしてステップＳ２０５に戻って、主制御部２０は、ステップＳ２０９にて起動されたキー操作無効タイマが終了したか否かを判断する。
【００５１】
キー操作無効タイマが終了した場合（Ｓ２０５のＹｅｓ）は、主制御部２０は、キー操作を無効にする（Ｓ２１１）。携帯電話機１においてキー操作が無効になると、操作入力制御部２２により操作キー１５が電気的に切断され、操作キー１５が押された場合であっても操作入力制御部２２はこの入力を検出しない。これにより、携帯電話機１が鞄の中やポケットの中に収納されている時に、ユーザの意図に反して操作キー１５が押されてしまった場合に、不必要な機能が起動されたりディスプレイ１３が点灯してしまったりすることが防止される。
【００５２】
主制御部２０は、スライドキー１７がスライドされたか否かを判断する（Ｓ２１３）。スライドキー１７がスライドされた場合（Ｓ２１３のＹｅｓ）は、主制御部２０は、ステップＳ２０９と同様に、表示無効タイマ及びキー操作無効タイマをリセットして起動する（Ｓ２１５）。
【００５３】
主制御部２０は、ステップＳ２１１にて無効にしたキー操作を有効にする（Ｓ２１７）。操作入力制御部２２は、操作キー１５を再び電気的に接続し、操作キー１５を介した入力を受け付ける。これにより、ユーザは携帯電話機１を用いて通常通りの操作を行うことができるようになる。そしてステップＳ２０５に戻って、主制御部２０は、ステップＳ２１５にて起動されたキー操作無効タイマが終了したか否かを判断する。
【００５４】
スライドキー１７がスライドされていない場合（Ｓ２１３のＮｏ）は、主制御部２０は、ステップＳ２０３、Ｓ２０９、またはＳ２１５で起動された表示無効タイマが終了したか否かを判断する（Ｓ２１９）。この際、主制御部２０が表示無効タイマが終了した旨を示す信号をタイマ部２７から受信したことに基づいて、表示無効タイマが終了したものと判断する。表示無効タイマが終了していない場合（Ｓ２１９のＮｏ）は、ステップＳ２１３に戻って、主制御部２０は再びスライドキー１７がスライドされたか否かを判断する。
【００５５】
表示無効タイマが終了した場合（Ｓ２１９のＹｅｓ）は、主制御部２０は、ディスプレイ１３への表示を無効にする（Ｓ２２１）。また主制御部２０は、携帯電話機１をスリープ状態に移行させる（Ｓ２２３）。無操作状態においてディスプレイ１３への表示を行わなかったり携帯電話機１をスリープ状態に移行させたりすることにより、携帯電話機１における無駄な電力消費が軽減される。
【００５６】
ユーザは、キー操作無効スリープ状態にある携帯電話機１を通常状態に復帰させたいときに、スライドキー１７をスライドさせる。よって主制御部２０は、キー操作無効スリープ状態において、スライドキー１７がスライドされたか否かを判断する（Ｓ２２５）。スライドキー１７がスライドされていない場合（Ｓ２２５のＮｏ）は、主制御部２０はスライドキー１７がスライドされるまで待機する。
【００５７】
スライドキー１７がスライドされた場合（Ｓ２２５のＹｅｓ）は、主制御部２０は、ステップＳ２１１にて無効にしたキー操作と、ステップＳ２２１にて無効にしたディスプレイ１３への表示とを有効にして、携帯電話機１をスリープ状態から通常状態へと復帰させる（Ｓ２２７）。すなわち、携帯電話機１が通常状態に復帰することにより、ステップＳ２２３にてＯＦＦに設定された必要最小限の機能以外の機能が再び起動されるとともに、ディスプレイ１３が点灯され、また、操作入力制御部２２は、操作キー１５を再び電気的に接続し、操作キー１５を介した入力を受け付ける。これにより、ユーザは携帯電話機１を用いて通常通りの操作を行うことができるようになる。
【００５８】
このように携帯電話機１は、無操作状態が所定時間以上継続すると、キー操作が無効になり、その後さらに無操作状態が所定時間異常継続すると、ディスプレイ１３への表示が無効になるとともに、スリープ状態に移行する。キー操作のみが無効になっている状態では、スライドキー１７のスライドにより、キー操作が再び有効になる。また、キー操作もディスプレイ１３への表示も無効になっている状態では、スライドキー１７のスライドにより、操作キー１５を介した入力が有効になるとともにディスプレイ１３への表示も有効になり、携帯電話機１が通常状態に復帰する。
【００５９】
本発明に係る携帯端末（携帯電話機１）によると、無操作状態が継続してスリープ状態に移行したときに、ユーザが意識することなくキー操作無効状態に移行するため、ユーザがキー操作を無効に設定することを忘れてしまった場合であっても、ユーザの意図しないキー操作によりスリープ状態が解除されて、無駄な電力を消費することを防止することが可能となる。
【００６０】
また、携帯電話機１の無操作状態が開始されてから表示が無効になる（スリープ状態に移行する）までの表示無効時間、携帯電話機１の無操作状態が開始されてからキー操作が無効になるまでのキー操作無効時間を、ユーザが自由に設定できるようにすることでユーザの操作性が向上され、例えばキー操作無効時間を長めに設定することにより、携帯電話機１がスリープ状態に移行した直後にキー操作が無効にならないようにすることも可能となる。
【００６１】
なお、複数の筐体が開閉自在に結合されたクラムシェル型、スイーベル型、スライド型等の携帯電話機であった場合には、携帯電話機が開かれたタイミングや閉じられたタイミングで、表示やキー操作を無効にしたりスリープ状態に移行したりするようにすると良い。または、携帯電話機１のキー操作無効スリープ状態を解除するための操作として、ユーザが任意の操作を設定できるようにしても良い。
【００６２】
また、携帯電話機１の操作キー１５に任意の物体が触れた場合であってもなるべく電源キー１５ａが押されないように、電源キー１５ａを他の操作キー１５よりも高さを低く設置するとともに、携帯電話機１がキー操作無効状態にある場合であっても、電源キー１５ａを介した入力のみを受け付けることにより、例えばユーザが携帯電話機１の電源を切りたい場合や、現在時刻を確認したい場合等に、電源キー１５ａを押すことで、キー操作無効状態でもユーザが携帯電話機１を用いて特定の操作のみを行えるようにすることができる。その際には、更に携帯電話機１５がキー操作無効状態であっても、終話キーを押下することによって、照明を点灯するようにしてもよい。また、キー操作無効状態であっても、電源キーを押下し、その電源キー押下から所定秒以内に緊急通報番号（１１０，１１９，１１８等）を押下することによって緊急通報番号に発呼できるようにしてもよい。
【００６３】
また、携帯電話機１がキー操作無効状態にあるときに、着信があった場合、その着信中は通話キーや終話キーのみを有効にすると良い。また、携帯電話機１がキー操作無効状態にあるときに、通話を行っている間、音量を変更するための操作キー１５や録音を開始するための操作キー１５等を有効にすると良い。また、携帯電話機がキー操作無効状態にあるときに、アラームが発生した場合、このアラームを停止させるための操作キー１５を有効にすると良い。また、携帯電話機がキー操作無効状態にあるときに、メールを受信した場合、このメールの受信音（受信を知らせる振動）を停止させるための操作キー１５を有効にすると良い。
【００６４】
また、Ｗｅｂサイトを閲覧中、メールの作成中やメールの閲覧中であっても、個人情報が漏洩することを防止するために、無操作状態が所定時間以上経過した場合に、ステップＳ１０１乃至Ｓ１２９、ステップＳ２０１乃至Ｓ２２７の処理を行うようにすると良い。
【００６５】
また、メモリカード等の外部メモリが着脱された場合、ＵＳＢや充電器が着脱された場合、イヤホンが着脱された場合、あるいは接写モードスイッチが投入された場合等は、ステップＳ１０１またはステップＳ２０１にて操作キー１５が押されたものとして判断せず、ステップＳ１０３乃至Ｓ１２９、ステップＳ２０３乃至Ｓ２２７の処理を行わないようにすると良い。
【００６６】
また、音声通話中、音声発着信中、アラーム鳴動中、ローバッテリーアラーム鳴動中、メール受信完了音鳴動中、ストップウォッチ起動中、カメラ起動中、ボイスレコーダ録音中、ＧＰＳ測位中、Ｂｌｕｅｔｏｏｔｈ（登録商標）機器との接続中、赤外線通信中は、これらの状態が終了したタイミングで、ステップＳ１０３乃至Ｓ１２９、ステップＳ２０３乃至Ｓ２２７の処理を行うようにすると良い。
【００６７】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、携帯ビデオカメラ、携帯ゲーム機等、ロック機能を備えている携帯端末であれば、任意の携帯端末であっても良い。
【図面の簡単な説明】
【００６８】
【図１】本発明に係る携帯端末（携帯電話機）を示す斜視図。
【図２】本発明に係る携帯端末（携帯電話機）の機能ブロック図。
【図３】入力画面を示す画面図。
【図４】設定情報を示すデータ構成図。
【図５】本発明に係る携帯端末における無操作ロック設定処理について説明するための概念図。
【図６】本発明に係る携帯端末において無操作ロック設定処理を行う際の手順を示すフローチャート。
【図７】設定情報を示すデータ構成図。
【図８】本発明に係る携帯端末における無操作ロック設定処理について説明するための概念図。
【図９】本発明に係る携帯端末において圏外ロック処理を行う際の手順を示すフローチャート。
【符号の説明】
【００６９】
１…携帯電話機，１０…筐体，１３…ディスプレイ，１４…スピーカ，１５…操作キー，１６…マイクロフォン，１７…スライドキー，２０…主制御部，２１…電源回路部，２２…操作入力制御部，２３…表示制御部，２４…音声制御部，２５…通信制御部，２５ａ…アンテナ，２６…記憶部，２７…タイマ部，２８…ロック検出部，３０…入力画面，４０…設定情報。
【図１】
2009272996.tif 000003
【図２】
2009272996.tif 000004
【図３】
2009272996.tif 000005
【図４】
2009272996.tif 000006
【図５】
2009272996.tif 000007
【図６】
2009272996.tif 000008
【図７】
2009272996.tif 000009
【図８】
2009272996.tif 000010
【図９】
2009272996.tif 000011